(57)【特許請求の範囲】
【請求項１】
センタ装置（ＯＳＵ）と、光源をもたない複数の光ネットワークユニット（ＯＮＵ）との間を波長多重分離手段および光ファイバ伝送路を介して接続し、前記ＯＳＵから前記各ＯＮＵへの下り信号用および前記各ＯＮＵから前記ＯＳＵへの上り信号用として互いに異なる波長帯λd ，λu を割り当て、さらに前記各ＯＮＵ１、２、…、ｎに波長帯λd ，λu の中からそれぞれ異なる波長（λd1，λu1）、（λd2，λu1）、…、（λdn，λun）を割り当てたときに、
前記ＯＳＵは、前記波長帯λd の変調光および前記波長帯λu の無変調光を送信し、前記各ＯＮＵｉ（ｉは１〜ｎの整数）はそれぞれ割り当てられた波長λdiの変調光を受信し、かつそれぞれ割り当てられた波長λuiの無変調光を変調して上り信号として送信し、前記ＯＳＵは各ＯＮＵｉから上り信号として送信された波長λuiの変調光を受信する構成である光波長多重アクセスネットワークにおいて、
前記波長多重分離手段は、前記ＯＳＵから送信された前記波長帯λd の変調光と前記波長帯λu の無変調光を各帯域に分波する第１のＷＤＭカプラと、前記波長帯λd の変調光を各波長λd1〜λdnに分波する第１の波長分離器と、前記波長帯λu の無変調光を各波長λu1〜λunに分波する第２の波長分離器と、波長λdiの変調光と波長λuiの無変調光を合波して各ＯＮＵｉへそれぞれ送信するｎ個の第２のＷＤＭカプラと、各ＯＮＵｉから送信された波長λu1〜λunの変調光を合波して前記ＯＳＵへ送信する波長多重器とを備えた
ことを特徴とする光波長多重アクセスネットワーク。
【請求項２】
センタ装置（ＯＳＵ）と、光源をもたない複数の光ネットワークユニット（ＯＮＵ）との間を波長多重分離手段および光ファイバ伝送路を介して接続し、前記ＯＳＵから前記各ＯＮＵへの下り信号用および前記各ＯＮＵから前記ＯＳＵへの上り信号用として互いに異なる波長帯λd ，λu を割り当て、さらに前記各ＯＮＵ１、２、…、ｎに波長帯λd ，λu の中からそれぞれ異なる波長（λd1，λu1）、（λd2，λu1）、…、（λdn，λun）を割り当てたときに、
前記ＯＳＵは、前記波長帯λd の変調光および前記波長帯λu の無変調光を送信し、前記各ＯＮＵｉ（ｉは１〜ｎの整数）はそれぞれ割り当てられた波長λdiの変調光を受信し、かつそれぞれ割り当てられた波長λuiの無変調光を変調して上り信号として送信し、前記ＯＳＵは各ＯＮＵｉから上り信号として送信された波長λuiの変調光を受信する構成である光波長多重アクセスネットワークにおいて、
前記波長多重分離手段は、前記ＯＳＵから送信された前記波長帯λd の変調光と前記波長帯λu の無変調光を各帯域に分波する第１のＷＤＭカプラと、前記波長帯λd の変調光を各波長λd1〜λdnに分波する第１の波長分離器と、前記波長帯λu の無変調光を各波長λu1〜λunに分波して各ＯＮＵｉへそれぞれ送信する第２の波長分離器と、各ＯＮＵｉへ送信する波長λdiの変調光と各ＯＮＵｉから送信された波長λuiの変調光を分波するｎ個の第２のＷＤＭカプラと、各ＯＮＵｉから送信された波長λu1〜λunの変調光を合波して前記ＯＳＵへ送信する波長多重器とを備えた
ことを特徴とする光波長多重アクセスネットワーク。
【請求項３】
請求項１または請求項２に記載の光波長多重アクセスネットワークにおいて、
前記波長多重分離手段は、波長帯λd の変調光を各波長に分波する第１の波長分離器と、波長帯λu の無変調光を各波長に分波する第２の波長分離器と、波長帯λu の各波長の変調光を合波する波長多重器として、それぞれの帯域以上のフリースペクトルレンジ（ＦＳＲ）を有するアレイ導波路回折格子を用いる構成である
ことを特徴とする光波長多重アクセスネットワーク。
【請求項４】
請求項１または請求項２に記載の光波長多重アクセスネットワークにおいて、
前記波長多重分離手段は、波長帯λd の変調光と波長帯λu の無変調光を各帯域に分波する第１のＷＤＭカプラと、波長帯λd の変調光を各波長に分波する第１の波長分離器と、波長帯λu の無変調光を各波長に分波する第２の波長分離器に代えて、波長帯λd および波長帯λu を合わせた帯域以上のフリースペクトルレンジ（ＦＳＲ）を有する１つのアレイ導波路回折格子を用いる構成である
ことを特徴とする光波長多重アクセスネットワーク。
【請求項５】
請求項１または請求項２に記載の光波長多重アクセスネットワークにおいて、
前記ＯＳＵで波長帯λd の変調光および波長帯λu の無変調光を送信する送信部の光源として、１つまたは波長の異なる複数の単一中心波長の光を光変調器に入力し、単一周波数発生源からの所定の周波数の周期信号で変調し、周期信号の周波数に相当した周波数間隔の多波長光を一括発生させる多波長一括発生光源を用いる
ことを特徴とする光波長多重アクセスネットワーク。
【発明の詳細な説明】
【０００１】
【発明の属する技術分野】
本発明は、センタ装置（ＯＳＵ）と光源をもたない光ネットワークユニット（ＯＮＵ）との間で光信号を双方向伝送する光波長多重アクセスネットワークに関する。
【０００２】
【従来の技術】
図６は、従来の光波長多重アクセスネットワークの構成例を示す（特開２０００−１９６５３６号公報）。ここでは、ＯＳＵからＯＮＵへの下り信号用として１つの波長帯λd を割り当て、ＯＮＵからＯＳＵへの上り信号用として１つの波長帯λu （≠λd)を割り当て、さらに波長帯λd の波長λd1〜λdnおよび波長帯λu の波長λu1〜λunをそれぞれ各ＯＮＵに割り当てる例を示す。
【０００３】
ＯＳＵ１０の送信部１１は、多波長一括発生／変調部１２から出力される波長帯λd の下り変調光と、多波長一括発生部１３から出力される波長帯λu の無変調光をＷＤＭカプラ１４で波長多重し、光ファイバ伝送路１を介して波長多重分離手段（ＭＵＸ／ＤＥＭＵＸ）２０へ送信する。波長多重分離手段２０は、波長帯λd の下り変調光と波長帯λu の無変調光をそれぞれ分波し、波長λd1〜λdnの下り変調光および波長λu1〜λunの無変調光を、光ファイバ伝送路３を介してそれぞれ対応するＯＮＵ３０−１〜３０−ｎへ送信する。
【０００４】
ＯＮＵ３０−１は、波長λd1の下り変調光と波長λu1の無変調光をＷＤＭカプラ３１で分波し、波長λd1の下り変調光を光受信器３２で受信し、波長λu1の無変調光を光変調器３３で変調し、上り信号として光ファイバ伝送路４を介して波長多重分離手段２０へ送信する。他のＯＮＵについても同様である。波長λu1〜λunの上り変調光は波長多重分離手段２０で多重され、上りの光ファイバ伝送路２を介してＯＳＵ１０へ伝送され、受信部１５で受信される。
【０００５】
なお、下り変調光の波長帯λd （ｎ個の波長）と、上り変調光の波長帯λu （ｎ個の波長）は、図６に示すように、光周波数軸上（または波長軸上）で重ならないように配置される。これにより、すべてのＯＮＵでは、波長帯λd と波長帯λu を分離／多重する同一仕様のＷＤＭカプラ３１を用いることができる。
【０００６】
【発明が解決しようとする課題】
ところで、波長多重分離手段２０として用いることが想定されているアレイ導波路回折格子（ＡＷＧ）は、波長多重光を波長ごとに分波でき、また波長の異なる複数の光を合波できる特性を有する。さらに、ＡＷＧは、ＦＳＲ（フリースペクトルレンジ）間隔の波長を同時に合分波する特性をもつ（特開２０００−２０６３６２号公報）。このＦＳＲの特性により、下り信号波長（例えばλd1）と上り信号波長（例えばλu1）を同じポートに分波することができる。
【０００７】
しかし、ＡＷＧのＦＳＲは波長領域において一定の間隔になるが、光周波数領域では厳密に一定間隔にならない。例えば、ポートｉに光周波数193.100 ＴHz（波長1552.524ｎｍ）の光▲１▼を透過し、ポートｉ＋１に光周波数193.000 ＴHz（波長1553.329ｎｍ）の光▲２▼を透過するＡＷＧのＦＳＲを30.329ｎｍになるように設計した場合を考える。このＦＳＲにより、ポートｉが光周波数189.400 ＴHz（波長1582.853ｎｍ）の光▲３▼を透過すると、ポートｉ＋１は光周波数は189.3038ＴHz（波長1583.658ｎｍ）の光▲４▼を透過することになる。すなわち、光▲１▼と光▲２▼の光周波数間隔は 100ＧHzであったものが、光▲３▼と光▲４▼の光周波数間隔は96.2ＧHzにずれる計算になる。
【０００８】
このように、図６に示すように、ＡＷＧのＦＳＲを利用して上りと下りの異なる帯域の光を一括して分離する構成では、多数ＯＮＵに対して10波長多重した場合は30％以上、20波長多重した場合は60％以上のポートで透過光周波数にずれが生じるので、多くのＯＮＵを収容することが困難になる。
【０００９】
一方、ＯＳＵ１０の送信部１１に配置する光源としては、各波長チャネルの光を一括発生する多波長一括発生光源が用いられる。この多波長一括発生光源は、１つまたは波長の異なる複数の単一中心波長の光を光変調器に入力し、単一周波数発生源からの所定の周波数の周期信号で変調することにより、周期信号の周波数に相当した周波数間隔の多波長光を一括発生させるものがある（特願２００１−１９９７９１、特願２０００−２６６１２５）。
【００１０】
また、一方で、光波長多重ネットワークにおける利用波長は、ＩＴＵ−Ｔにおいて、193.100 ＴHzを中心とし、光周波数一定間隔（ 100ＧHz間隔、50ＧHz間隔など）に標準化されている。
【００１１】
このような標準化周波数に上記の多波長一括発生光源は対応できるが、この多波長一括発生光源の出力光周波数は一定間隔なのでＡＷＧの透過光周波数に合わせることはできない。すなわち、図６の構成のＡＷＧの透過光周波数に合わせるには個別の光源で対応する必要があるが、この場合には標準化周波数を用いることができない。
【００１２】
さらに、図６の構成では、ＡＷＧのポートを上り信号と下り信号で交互に利用する形態になっており、上り信号（または下り信号）の利用周波数間隔は、ＡＷＧのポートごとの周波数間隔の倍としなければならず、ＯＮＵの数（波長数）を増やす場合には困難が伴う。
【００１３】
本発明は、ＯＳＵに多波長一括発生光源を用い、標準化周波数に準拠した光周波数間隔一定の光を用いて双方向伝送を可能とする光波長多重アクセスネットワークを提供することを目的とする。
【００１４】
【課題を解決するための手段】
本発明は、ＡＷＧのＦＳＲを利用して上りと下りの異なる帯域の光を一括して分離するのではなく、波長帯λd の変調光、波長帯λu の無変調光、波長帯λu の変調光を個別のＡＷＧを用いてそれぞれ分離／多重することを特徴とする。
【００１５】
請求項１の発明は、センタ装置（ＯＳＵ）と、光源をもたない複数の光ネットワークユニット（ＯＮＵ）との間を波長多重分離手段および光ファイバ伝送路を介して接続し、ＯＳＵから各ＯＮＵへの下り信号用および各ＯＮＵからＯＳＵへの上り信号用として互いに異なる波長帯λd ，λu を割り当て、さらに各ＯＮＵ１、２、…、ｎに波長帯λd ，λu の中からそれぞれ異なる波長（λd1，λu1）、（λd2，λu1）、…、（λdn，λun）を割り当てたときに、ＯＳＵは、波長帯λd の変調光および波長帯λu の無変調光を送信し、各ＯＮＵｉ（ｉは１〜ｎの整数）はそれぞれ割り当てられた波長λdiの変調光を受信し、かつそれぞれ割り当てられた波長λuiの無変調光を変調して上り信号として送信し、ＯＳＵは各ＯＮＵｉから上り信号として送信された波長λuiの変調光を受信する構成である光波長多重アクセスネットワークにおいて、波長多重分離手段は、ＯＳＵから送信された波長帯λd の変調光と波長帯λu の無変調光を各帯域に分波する第１のＷＤＭカプラと、波長帯λd の変調光を各波長λd1〜λdnに分波する第１の波長分離器と、波長帯λu の無変調光を各波長λu1〜λunに分波する第２の波長分離器と、波長λdiの変調光と波長λuiの無変調光を合波して各ＯＮＵｉへそれぞれ送信するｎ個の第２のＷＤＭカプラと、各ＯＮＵｉから送信された波長λu1〜λunの変調光を合波してＯＳＵへ送信する波長多重器とを備える。
【００１６】
請求項２の波長多重分離手段は、ＯＳＵから送信された波長帯λd の変調光と波長帯λu の無変調光を各帯域に分波する第１のＷＤＭカプラと、波長帯λd の変調光を各波長λd1〜λdnに分波する第１の波長分離器と、波長帯λu の無変調光を各波長λu1〜λunに分波して各ＯＮＵｉへそれぞれ送信する第２の波長分離器と、各ＯＮＵｉへ送信する波長λdiの変調光と各ＯＮＵｉから送信された波長λuiの変調光を分波するｎ個の第２のＷＤＭカプラと、各ＯＮＵｉから送信された波長λu1〜λunの変調光を合波してＯＳＵへ送信する波長多重器とを備える。
【００１７】
ここで、波長多重分離手段は、波長帯λd の変調光を各波長に分波する第１の波長分離器と、波長帯λu の無変調光を各波長に分波する第２の波長分離器と、波長帯λu の各波長の変調光を合波する波長多重器として、それぞれの帯域以上のフリースペクトルレンジ（ＦＳＲ）を有するアレイ導波路回折格子を用いる構成である（請求項３）。また、波長多重分離手段は、波長帯λd の変調光と波長帯λu の無変調光を各帯域に分波する第１のＷＤＭカプラと、波長帯λd の変調光を各波長に分波する第１の波長分離器と、波長帯λu の無変調光を各波長に分波する第２の波長分離器に代えて、波長帯λd および波長帯λu を合わせた帯域以上のフリースペクトルレンジ（ＦＳＲ）を有する１つのアレイ導波路回折格子を用いる構成としてもよい（請求項４）。
【００１８】
また、ＯＳＵで波長帯λd の変調光および波長帯λu の無変調光を送信する送信部の光源として、１つまたは波長の異なる複数の単一中心波長の光を光変調器に入力し、単一周波数発生源からの所定の周波数の周期信号で変調し、周期信号の周波数に相当した周波数間隔の多波長光を一括発生させる多波長一括発生光源を用いる（請求項５）。
【００２０】
【発明の実施の形態】
（第１の実施形態）
図１は、本発明の光波長多重アクセスネットワークの第１の実施形態を示す。ここでは、従来構成と同様に、ＯＳＵからＯＮＵへの下り信号用として１つの波長帯λd を割り当て、ＯＮＵからＯＳＵへの上り信号用として１つの波長帯λu （≠λd)を割り当て、さらに波長帯λd の波長λd1〜λdnおよび波長帯λu の波長λu1〜λunをそれぞれ各ＯＮＵに割り当てる例を示す。
【００２１】
図において、ＯＳＵ１０の送信部１１は、多波長一括発生／変調部１２から出力される波長帯λd の下り変調光と、多波長一括発生部１３から出力される波長帯λu の無変調光をＷＤＭカプラ１４で波長多重し、光ファイバ伝送路１を介して波長多重分離手段２０Ａへ送信する。多波長一括発生／変調部１２は、図２に示すように、多波長一括発生光源１２１から出力される波長帯λd の無変調光を波長分離器（ＤＭＸ）１２２で各波長λd1〜λdnの光に分波し、光変調器１２３−１〜１２３−ｎで各ＯＮＵ宛ての信号で変調し、波長多重器（ＭＵＸ）１２４で合波する構成である。
【００２２】
波長多重分離手段２０Ａは、波長帯λd と波長帯λu の合分波を行うＷＤＭカプラ２１，２２−１〜２２−ｎと、波長帯λd の波長λd1〜λdnの光を分波する波長分離器（ＤＭＸ）２４と、波長帯λu の波長λu1〜λunの光を分波する波長分離器（ＤＭＸ）２５と、波長帯λu の波長λu1〜λunの光を合波する波長多重器（ＭＵＸ）２６により構成される。なお、例えば波長分離器２４，２５の入力側や波長多重器２６の出力側など、適当な位置に光増幅器を配置してもよい。ただし、波長分離器２４，２５の入力側に配置する光増幅器は各波長帯λd,λu をそれぞれ個別に増幅できればよいが、波長多重器２６の出力側に配置する光増幅器は波長帯λd,λu の両方を一括増幅する帯域が要求される。以下に示す実施形態でも同様である。
【００２３】
光ファイバ伝送路１から波長多重分離手段２０Ａに入力された波長帯λd の下り変調光と波長帯λu の無変調光は、ＷＤＭカプラ２１で各帯域に分波され、波長分離器（ＤＭＸ）２４，２５で各波長に分波される。波長λd1の下り変調光と波長λu1の無変調光は、ＷＤＭカプラ２２−１で合波され、光ファイバ伝送路３を介してＯＮＵ３０−１へ送信される。他の波長の下り変調光および無変調光についても同様に、各ＯＮＵにそれぞれ送信される。
【００２４】
ＯＮＵ３０−１は、波長λd1の下り変調光と波長λu1の無変調光をＷＤＭカプラ３１で分波し、波長λd1の下り変調光を光受信器３２で受信し、波長λu1の無変調光を光変調器３３で変調し、上り信号として光ファイバ伝送路４を介して波長多重分離手段２０Ａへ送信する。他のＯＮＵについても同様である。  波長多重分離手段２０Ａに入力する波長λu1〜λunの上り変調光は、波長多重器（ＭＵＸ）２６で合波され、光ファイバ伝送路２を介してＯＳＵ１０へ伝送され、受信部１５で受信される。
【００２５】
以上示したような波長多重分離手段２０Ａの波長分離器２４，２５および波長多重器２６では、それぞれ１つの波長帯の光を合分波する構成であり、従来は必要であったＡＷＧの周期的波長透過特性（ＦＳＲ）を利用した複数の波長帯の一括合分波が不要となる。すなわち、光波長多重アクセスネットワークを構成する際に、上述したＡＷＧのＦＳＲを利用する際の光周波数ずれを考慮する必要がなくなり、２つの波長帯の各波長はＩＴＵで規定された周波数一定間隔の値に設定することができる。また、光源として単一周波数発生源を利用した周波数一定間隔の多波長一括発生光源を利用することができる。
【００２６】
（波長多重分離手段２０Ａの他の構成例）
図３は、波長多重分離手段２０Ａの他の構成例を示す。本構成例は、図１に示すＷＤＭカプラ２１および波長分離器（ＤＭＸ）２４，２５を１つの波長分離器（ＤＭＸ）２７に置き換えたものである。波長分離器（ＤＭＸ）２７として、波長帯λd の波長λd1〜λdnの光と、波長帯λu の波長λu1〜λunの光をＦＳＲを利用することなく分波できる大規模なものを用いることにより、同等の機能を実現することができる。
【００２７】
（第２の実施形態）
図４は、本発明の光波長多重アクセスネットワークの第２の実施形態を示す。  図において、ＯＳＵ１０、波長多重分離手段２０Ｂ、各ＯＮＵ３０−１〜３０−ｎの構成要素は、第１の実施形態のものと同じである。
ＯＳＵ１０の送信部１１は、波長帯λd の下り変調光と波長帯λu の無変調光を光ファイバ伝送路１を介して波長多重分離手段２０Ｂへ送信する。
【００２８】
光ファイバ伝送路１から波長多重分離手段２０Ｂに入力された波長帯λd の下り変調光と波長帯λu の無変調光は、ＷＤＭカプラ２１で各帯域に分波され、波長分離器（ＤＭＸ）２４，２５で各波長に分波される。波長λd1の下り変調光は、ＷＤＭカプラ２２−d 光ファイバ伝送路３を介してＯＮＵ３０−１へ送信される。また、波長λu1の無変調光は、光ファイバ伝送路４を介してＯＮＵ３０−１へ送信される。他の波長の下り変調光および無変調光についても同様に、各ＯＮＵにそれぞれ送信される。
【００２９】
ＯＮＵ３０−１は、光ファイバ伝送路３から入力される波長λd1の下り変調光をＷＤＭカプラ３１を介して光受信器３２で受信する。光ファイバ伝送路４から入力する波長λu1の無変調光は光変調器３３で変調し、上り信号としてＷＤＭカプラ３１，光ファイバ伝送路３を介して波長多重分離手段２０Ｂへ送信する。他のＯＮＵについても同様である。
【００３０】
光ファイバ伝送路３から波長多重分離手段２０Ｂに入力する波長λu1〜λunの上り変調光は、それぞれＷＤＭカプラ２２−１〜２２−ｎで下り信号光と分離した後に波長多重器（ＭＵＸ）２６で合波され、光ファイバ伝送路２を介してＯＳＵ１０へ伝送され、受信部１５で受信される。
【００３１】
このように、波長多重分離手段２０ＢのＷＤＭカプラ２２−１〜２２−ｎと、各ＯＮＵ３０−１〜３０−ｎのＷＤＭカプラ３１は、波長帯λd の下り信号光と波長帯λu の上り信号光を分離する構成であり、波長多重分離手段２０Ｂと各ＯＮＵ３０−１〜３０−ｎとを接続する光ファイバ伝送路３，４の光信号が第１の実施形態と異なる。
【００３２】
なお、本実施形態の波長多重分離手段２０ＢのＷＤＭカプラ２１および波長分離器（ＤＭＸ）２４，２５についても、図３に示すように、１つの波長分離器（ＤＭＸ）２７に置き換えることができる。
【００３３】
（参考例）
図５は、本発明の光波長多重アクセスネットワークの参考例を示す。本参考例の特徴は、各ＯＮＵ３０−１〜３０−ｎに、それぞれ波長λu1〜λunの光源３４を備え、光変調器３３で変調して上り変調光とするところにある。
【００３４】
図において、ＯＳＵ１０の送信部１１は、多波長一括発生／変調部１２から出力される波長帯λd の下り変調光を光ファイバ伝送路１を介して波長多重分離手段２０Ｃへ送信する。
【００３５】
波長多重分離手段２０Ｃは、波長帯λd と波長帯λu の合分波を行うＷＤＭカプラ２２−１〜２２−ｎと、波長帯λd の波長λd1〜λdnの光を分波する波長分離器（ＤＭＸ）２４と、波長帯λu の波長λu1〜λunの光を合波する波長多重器（ＭＵＸ）２６により構成される。
【００３６】
光ファイバ伝送路１から波長多重分離手段２０Ｃに入力された波長帯λd の下り変調光は、波長分離器（ＤＭＸ）２４で各波長に分波される。波長λd1の下り変調光は、ＷＤＭカプラ２２−d 光ファイバ伝送路３を介してＯＮＵ３０−１へ送信される。他の波長の下り変調光についても同様に、各ＯＮＵにそれぞれ送信される。
【００３７】
ＯＮＵ３０−１は、光ファイバ伝送路３から入力される波長λd1の下り変調光をＷＤＭカプラ３１を介して光受信器３２で受信する。光源３４から出力された波長λu1の無変調光は光変調器３３で変調し、上り信号としてＷＤＭカプラ３１，光ファイバ伝送路３を介して波長多重分離手段２０Ｃへ送信する。他のＯＮＵについても同様である。
【００３８】
光ファイバ伝送路３から波長多重分離手段２０Ｃに入力する波長λu1〜λunの上り変調光は、それぞれＷＤＭカプラ２２−１〜２２−ｎで下り信号光と分離した後に波長多重器（ＭＵＸ）２６で合波され、光ファイバ伝送路２を介してＯＳＵ１０へ伝送され、受信部１５で受信される。
【００３９】
【発明の効果】
以上説明したように、本発明の光波長多重アクセスネットワークは、波長多重分離手段を構成する波長分離器および波長多重器がそれぞれ１つの波長帯の光を合分波する構成であり、従来は必要であったＡＷＧのＦＳＲを利用した複数の波長帯の一括合分波が不要となる。これにより、光波長多重アクセスネットワークで上りおよび下りに使用する２つの波長帯の各波長はＩＴＵで規定された周波数一定間隔の値に設定することができる。また、光源として単一周波数発生源を利用した周波数一定間隔の多波長一括発生光源を利用することができる。
【図面の簡単な説明】
【図１】本発明の光波長多重アクセスネットワークの第１の実施形態を示す図。
【図２】多波長一括発生／変調部１２の構成例を示す図。
【図３】波長多重分離手段２０Ａの構成例を示す図。
【図４】本発明の光波長多重アクセスネットワークの第２の実施形態を示す図。
【図５】  本発明の光波長多重アクセスネットワークの参考例を示す図。
【図６】従来の光波長多重アクセスネットワークの構成例を示す図。
【符号の説明】
１，２，３，４  光ファイバ伝送路
１０  センタ装置（ＯＳＵ）
１１  送信部
１２  多波長一括発生／変調部
１３  多波長一括発生部
１４  ＷＤＭカプラ
１５  受信部
２０，２０Ａ，２０Ｂ，２０Ｃ  波長多重分離手段
２１，２２  ＷＤＭカプラ
２４，２５，２７  波長分離器（ＤＭＸ）
２６  波長多重器（ＭＵＸ）
３０  光ネットワークユニット（ＯＮＵ）
３１  ＷＤＭカプラ
３２  光受信器
３３  光変調器
３４  光源
【図１】
0003732788.tif 000002
【図２】
0003732788.tif 000003
【図３】
0003732788.tif 000004
【図４】
0003732788.tif 000005
【図５】
0003732788.tif 000006
【図６】
0003732788.tif 000007